(57)【要約】【課題】結婚式、結婚披露宴、結婚当事者に関する情報をビデオ映像により伝えることができる招待状を提供する。【解決手段】結婚式又は結婚披露宴における、当事者氏名を印刷した氏名印刷部と、開催日時を印刷した開催日時印刷部と、開催場所を印刷した開催場所印刷部と、を少なくとも備える招待案内状と、招待案内状に対する返信用葉書と、招待案内状及び返信用葉書を封入する封筒と、から少なくとも構成され、招待案内状、返信用葉書、又は封筒のいずれか１つ以上に、特定のＷｅｂサイトにリンクするＵＲＬと関連付けられた二値以上の２次元コード及び／又は識別符号が印刷されたＵＲＬリンク印刷部を備える。【選択図】図１
0003121159.tif 000002
【実用新案登録請求の範囲】
【請求項１】
結婚式又は結婚披露宴における、当事者氏名を印刷した氏名印刷部と、開催日時を印刷した開催日時印刷部と、開催場所を印刷した開催場所印刷部と、を少なくとも備える招待案内状と、
前記招待案内状に対する返信用葉書と、
前記招待案内状及び返信用葉書を封入する封筒と、から少なくとも構成され、
前記招待案内状、前記返信用葉書、又は前記封筒のいずれか１つ以上に、特定のＷｅｂサイトにリンクするＵＲＬと関連付けられた二値以上の２次元コード及び／又は識別符号が印刷されたＵＲＬリンク印刷部を備えることを特徴とする招待状。
【請求項２】
結婚式又は結婚披露宴における、当事者氏名を印刷した氏名印刷部と、開催日時を印刷した開催日時印刷部と、開催場所を印刷した開催場所印刷部と、を少なくとも備える招待案内状と、
前記招待案内状に対する返信用葉書と、
前記招待案内状及び返信用葉書を封入する封筒と、から少なくとも構成され、
前記招待案内状、前記返信用葉書、又は前記封筒のいずれか１つ以上に、特定のＷｅｂサイトにリンクするＵＲＬと関連付けられた二値以上の２次元コード及び／又は識別符号が印刷されるか或いは無線ＩＣチップが埋め込まれたシールが貼り付けられていることを特徴とする招待状。
【請求項３】
結婚式又は結婚披露宴における、当事者氏名を印刷した氏名印刷部と、開催日時を印刷した開催日時印刷部と、開催場所を印刷した開催場所印刷部と、を少なくとも備える招待案内状と、
前記招待案内状に対する返信用葉書と、
前記招待案内状及び返信用葉書を封入する封筒と、
特定のＷｅｂサイトにリンクするＵＲＬと関連付けられた二値以上の２次元コード及び／又は識別符号が印刷されるか或いは無線ＩＣチップが埋め込まれたカード、シート、又はシールのいずれかと、を備えることを特徴とする招待状。
【考案の詳細な説明】
【技術分野】
【０００１】
本考案は、結婚式又は結婚披露宴の招待状に関するもので、詳しくは、印刷された２次元コードに埋め込まれたＵＲＬリンク先にアクセスすることで、結婚式又は結婚披露宴に招待する当事者の挨拶等が動画配信される招待状に関するものである。
【背景技術】
【０００２】
従来から、結婚式や結婚披露宴の招待状に、結婚当事者や親族の写真或いはメッセージ等を添えることは行われていた。招待状の内容としては、案内文に開催日時や開催場所と当事者の名前が印刷された招待案内状と、案内状に対する返信用の葉書とを封筒に入れたものが殆どであり、郵送や手渡し等により招待者に渡されていた。
一方、結婚式や結婚披露宴を見てみると、結婚に到るまでの当事者のビデオ映像やスライド写真がエンドロールまで加えられ編集されて映し出され、大掛かりな仕掛けや、さらには打ち上げ花火を挙げる等、凝った演出がなされている場合があったり、逆に、身内や極親しい人達だけで簡素に行う等、多様な形態で行われているのに対し、招待状に関しては、昔から殆ど変わっていない。
このような背景や、参列する際の服装やお祝いにどのようなものを用意したらよいのか迷わないようにとのことから、結婚披露宴の雰囲気を招待状も含めて統一した表現にするために、特許文献１には、結婚行事の招待状及び結婚行事用招待状セットが開示されている。この考案は、招待状に結婚式場か結婚披露宴会場の写真を掲載したものである。特許文献２は、結婚式の案内状、お礼状等の結婚式用印刷物に関するもので、婚約者の顔写真がプリントされた各写真シールを案内状に貼り付けたものである。
【０００３】
【特許文献１】実用新案登録第３０４７７６４号公報
【特許文献２】実用新案登録第３０５０７５９号公報
【考案の開示】
【考案が解決しようとする課題】
【０００４】
しかしながら、結婚式や結婚披露宴の雰囲気やその内容を招待者に知らせるために、結婚当事者やその会場を招待状に写真印刷するには、アルバムや写真集そのものを招待状にするわけにもいかず、伝えられる内容には限界があった。
本考案の目的は、上記のような、結婚式や結婚披露宴にあたり、結婚当事者に関する、より多くの情報を招待者に提供するために、結婚当事者、結婚式、結婚披露宴会場だけでなく、結婚当事者の出会いから結婚にいたるまでのエピソード等を、動画形式で配信できるように、そのビデオ映像を配信するＷｅｂサイトのＵＲＬを、２次元コードに埋め込み、携帯電話機でそれを読み取ることで、ビデオ映像を受信・表示できるようにした招待状を提供することにある。
【課題を解決するための手段】
【０００５】
上記目的を達成するため、本考案の請求項１に係る招待状は、結婚式又は結婚披露宴における、当事者氏名を印刷した氏名印刷部と、開催日時を印刷した開催日時印刷部と、開催場所を印刷した開催場所印刷部と、を少なくとも備える招待案内状と、前記招待案内状に対する返信用葉書と、前記招待案内状及び返信用葉書を封入する封筒と、から少なくとも構成され、前記招待案内状、前記返信用葉書、又は前記封筒のいずれか１つ以上に、特定のＷｅｂサイトにリンクするＵＲＬと関連付けられた二値以上の２次元コード及び／又は識別符号が印刷されたＵＲＬリンク印刷部を備えることを特徴とする。
また、請求項２に係る招待状は、結婚式又は結婚披露宴における、当事者氏名を印刷した氏名印刷部と、開催日時を印刷した開催日時印刷部と、開催場所を印刷した開催場所印刷部と、を少なくとも備える招待案内状と、前記招待案内状に対する返信用葉書と、前記招待案内状及び返信用葉書を封入する封筒と、から少なくとも構成され、前記招待案内状、前記返信用葉書、又は前記封筒のいずれか１つ以上に、特定のＷｅｂサイトにリンクするＵＲＬと関連付けられた二値以上の２次元コード及び／又は識別符号が印刷されるか或いは無線ＩＣチップが埋め込まれたシールが貼り付けられていることを特徴とする。
また、請求項３に係る招待状は、結婚式又は結婚披露宴における、当事者氏名を印刷した氏名印刷部と、開催日時を印刷した開催日時印刷部と、開催場所を印刷した開催場所印刷部と、を少なくとも備える招待案内状と、前記招待案内状に対する返信用葉書と、前記招待案内状及び返信用葉書を封入する封筒と、特定のＷｅｂサイトにリンクするＵＲＬと関連付けられた二値以上の２次元コード及び／又は識別符号が印刷されるか或いは無線ＩＣチップが埋め込まれたカード、シート、又はシールのいずれかと、を備えることを特徴とする
【考案の効果】
【０００６】
本考案の招待状によれば、２次元コードを携帯電話機で読み取ることによって、結婚式や結婚披露宴会場、結婚当事者のなれそめや結婚にいたるまでのエピソード、さらには結婚式や結婚披露宴当日の服装等についてもビデオ映像で伝えることができるので、例えば、映画のプロモーション映像のような手法を用い、当日での期待感を持たすことも可能になる。また、一般的に招待状をもらってから結婚式や結婚披露宴当日まで間があるために招待案内状を紛失した場合や、或いは招待案内状を持ち歩かなくても、その開催日時や開催場所を携帯電話機のメモリからＵＲＬを再呼び出しすることで、いつでもどこでも確認することができる。
【考案を実施するための最良の形態】
【０００７】
以下、本考案を実施するための最良の形態について図を参照して説明する。
図１は、本実施形態による招待案内状の一例を示す説明図であり、図２は、招待状の全体を示したもので、（ａ）は招待案内状、（ｂ）は返信用葉書、（ｃ）はこれらを入れた封筒である
【０００８】
図１に示す招待案内状１０は、招待案内文「拝啓  新春の候  ・・・  ・・・敬具」が印刷された下の右中ほどに結婚当事者両名の氏名「○○  太郎」と「△△  花子」とが印刷された氏名印刷部１１と、下中央付近に開催日時「日時  ２００６年３月○日（○曜日）  挙式  午後○時○分より  披露宴  午後○時○分より」と記載された開催日時印刷部１２と、その下に開催場所「場所  赤坂☆☆ガーデンチャペル  東京都港区赤坂０−１−２  電話  ０３−００００−００００」と記載された開催場所印刷部１３とを備え、その下に返信用葉書の投函依頼文「なお  誠にお手数ながら・・・  ・・・お願い申し上げます」が印刷されており、左中ほどに動画配信により結婚式、結婚披露宴会場、結婚当事者に関するビデオ映像を提供するＷｅｂサイトのＵＲＬが埋め込まれた２次元コード２が印刷されている。
【０００９】
日本での２次元コードは、内蔵されたカメラで読み取ることでＷｅｂサイトへのアクセスや電子メールの送信等ができる携帯電話機の普及に伴い、この携帯電話機に採用された株式会社デンソーが開発したＱＲコード（登録商標）がディフェクトスタンダード化され、日本のＪＩＳ規格（ＪＩＳ  Ｘ  ０５１０）、国際標準のＩＳＯ規格（ＩＳＯ／ＩＥＣ１８００４）としても採用されており、様々な分野で応用され使用されている。ＱＲコード（登録商標）はマトリックス式２次元コードの一つであり、一般に使用されている１３桁分の数字しか入らないＪＡＮ（Ｊａｐａｎｅｓｅ  Ａｒｔｉｃｌｅ  Ｎｕｍｂｅｒ）コード等の１次元バーコードに比べ、英字漢字等を含めて１８００文字と、非常に多くのデータを記録することができる。
【００１０】
ビデオ映像を配信するＷｅｂサイトのＵＲＬが埋め込まれた２次元コード２が印刷された招待案内状１０は、図２に示すように、結婚式や結婚披露宴への招待案内状に対して出欠の返事をするための文面が裏面に印刷された返信用葉書２０と共に封筒３０に入れられ、招待者に郵送や手渡し等により渡される。
【００１１】
ビデオ映像を配信するＷｅｂサイトのＵＲＬを埋め込んだ２次元コード２は、図１に示すように招待案内状１０に直接印刷する形態の他にも、小片のシールに印刷して招待案内状１０に貼り付けてもよいし、名刺サイズ大のカードに印刷し携帯しやすいようにして同封してもよい。また、２次元コード２が印刷されるか貼り付けられる場所として、招待案内状１０に以外にも、封筒３０や返信用葉書２０の裏面等でもよく、例えば、図２（ｃ）に示すように、招待状１の封筒３０を封印するシールに印刷することも考えられる。
【００１２】
ビデオ映像を配信するＷｅｂサイトのＵＲＬを埋め込んだ２次元コードとしては、ＱＲコード（登録商標）等の白黒２値の２次元コードの他にも、カラー印刷することでさらに多くの情報を盛り込むことができる多値の２次元コードを用いることも可能である。また、ＵＲＬの埋め込みは２次元コードだけでなく、流通業界でバーコードに代わるものとして普及しつつある商品識別・管理等に使用されるＲＦＩＤ（Ｒａｄｉｏ  Ｆｒｅｑｕｅｎｃｙ  Ｉｄｅｎｔｉｆｉｃａｔｉｏｎ）タグと称される無線ＩＣチップを用いて招待案内状等に埋め込むか或いは貼り付けてもよい。
【００１３】
また、２次元コードはカメラ内蔵型の携帯電話機の殆どの機種で読み取り可能になっているが、対応していない機種や、ＰＣ（パーソナルコンピュータ）からのアクセスのために、ビデオ映像を配信するＷｅｂサイトのＵＲＬそのものを印刷し、それをキー入力することでビデオ映像を配信するＷｅｂサイトにアクセスするようにしてもよいし、例えば、コードコム社の「ＣＣコード」のように、ＱＲコード（登録商標）と「ＣＣナンバー」をセットにし、ＵＲＬと対応するユニークな識別符号としてこの「ＣＣナンバー」を印刷し、対応するアプリケーションを起動することで、ビデオ映像を配信するＷｅｂサイトにアクセスするようにしてもよい。
【００１４】
最後に、図３を参照し、操作の流れに沿って動画配信する構成を説明する。
ビデオ映像を配信するＷｅｂサイトのＵＲＬが埋め込まれた２次元コードが印刷された招待状１を受け取った利用者（招待者）は、利用者自身が持っているカメラ内蔵型携帯電話機を用いて２次元コードを読み取ると、携帯電話機の表示画面に、２次元コード内に埋め込まれたＵＲＬが表示されるので、そのＵＲＬのＷｅｂサイトにアクセスする。携帯電話機から携帯電話基地局網、及びインターネットを介して指定したＵＲＬのＷｅｂサイトにアクセスし、携帯電話機に表示されたメニュー（図示せず）からビデオ映像配信の選択をすると、そのビデオ映像が蓄積された動画配信サーバから目的のビデオ映像がストリーミング配信され、利用者の携帯電話機の画面に表示される。動画配信サーバは、２次元コードによりアクセスするＷｅｂサイトと同一でもよいが、通常、最初にアクセスしたＷｅｂサイトからビデオ映像を配信する動画サーバにリンクしてその動作を引き継がせる。
【図面の簡単な説明】
【００１５】
【図１】本考案による招待案内状の一例を示す説明図である。
【図２】（ａ）招待案内状、（ｂ）返信用葉書、（ｃ）封筒からなる招待状の全体を示す図である。
【図３】本考案による招待状の２次元コードを用いて動画配信する全体構成図である。
【符号の説明】
【００１６】
１    招待状
２    ２次元コード
１０    招待案内状
１１    氏名印刷部
１２    開催日時印刷部
１３    開催場所印刷部
２０    返信用葉書
３０    封筒
【図１】
0003121159.tif 000003
【図２】
0003121159.tif 000004
【図３】
0003121159.tif 000005